(57)【特許請求の範囲】
【請求項１】
棚板の裏面に形成された横向きの略半円柱状の凹部に嵌まり込んで棚板を水平に受けるのに使用される棚受けダボに装着可能であり且つ棚板を斜めに支持するために棚受けダボに取り付けられる棚受けダボ用アタッチメントであって、棚受けダボに嵌合する下向きの略Ｃ字状のダボ嵌合部と、棚板を支持する部材であって、前記ダボ嵌合部の上側に一体的に設けられた棚受け部とを有しており、前記棚受け部は、ダボ嵌合部の上側に設けられており且つ前記凹部に嵌まり込む略半円柱状の凸部と、この凸部の両側に設けられており且つ棚板の裏面に当接する平坦部とを有することを特徴とする棚受けダボ用アタッチメント。
【請求項２】
請求項１記載の棚受けダボ用アタッチメントにおいて、前記平坦部には、棚板との間の摩擦を増加させる摩擦増加手段が設けられていることを特徴とする棚受けダボ用アタッチメント。
【請求項３】
請求項１記載の棚受けダボ用アタッチメントにおいて、前記棚受け部の平坦部の下部には、略三角柱状の三角部が形成されており、この三角部は前記ダボ嵌合部と隣り合っていることを特徴とする棚受けダボ用アタッチメント。
【発明の詳細な説明】
【０００１】
【産業上の利用分野】
本発明は、本棚等の棚板を支持する棚受けダボに取り付けられる棚受けダボ用アタッチメントに関する。
【０００２】
【従来の技術】
本棚等の棚板は、４つの棚受けダボで支持されている。すなわち、側板の手前側と奥側に所定のピッチで形成されたダボ穴に棚受けダボを取り付け、この棚受けダボの上に棚板を載せるようになっているのである。
【０００３】
【発明が解決しようとする課題】
しかしながら、１枚の棚板を支持する４つの棚受けダボが取り付けられるダボ穴はすべて同一高さ位置にあるものであるため、棚板は水平になっている。このため、地震が生じると棚板に載せていた本等が落下するおそれがある。
【０００４】
本発明は上記事情に鑑みて創案されたもので、棚板に載せた本等の物品の落下を防止することができるとともに、棚板自体のずれや落下を防止することができる棚受けダボ用アタッチメントを提供することを目的としている。
【０００５】
【課題を解決するための手段】
本発明に係る棚受けダボ用アタッチメントは、棚板の裏面に形成された横向きの略半円柱状の凹部に嵌まり込んで棚板を水平に受けるのに使用される棚受けダボに装着可能であり且つ棚板を斜めに支持するために棚受けダボに取り付けられる棚受けダボ用アタッチメントであって、棚受けダボに嵌合する下向きの略Ｃ字状のダボ嵌合部と、棚板を支持する部材であって、前記ダボ嵌合部の上側に一体的に設けられた棚受け部とを有しており、前記棚受け部は、ダボ嵌合部の上側に設けられており且つ前記凹部に嵌まり込む略半円柱状の凸部と、この凸部の両側に設けられており且つ棚板の裏面に当接する平坦部とを有している。
【０００６】
前記平坦部には、棚板との間の摩擦を増加させる摩擦増加手段が設けられていることが好ましい。
【０００７】
前記棚受け部の平坦部の下部には、略三角柱状の三角部が形成されており、この三角部は前記ダボ嵌合部と隣り合っていることが好ましい。
【０００９】
【実施例】
図１は本発明の第１の実施例に係る棚受けダボ用アタッチメントの概略的正面図、図２は本発明の第１の実施例に係る棚受けダボ用アタッチメントを用いて取り付けられた棚板を示す概略的断面図、図３は本発明の第２の実施例に係る棚受けダボ用アタッチメントの概略的正面図、図４は棚受けダボの概略的正面図である。
【００１０】
まず、本実施例に係る棚受けダボ用アタッチメント１００の説明の前に、この棚受けダボ用アタッチメント１００が取り付けられる棚受けダボ６００と、この棚受けダボ６００によって支持される棚板５００とについて説明する。
【００１１】
棚受けダボ６００は、金属、合成樹脂或いは木材等から形成されており、図５に示すように、本棚等の側板７００のダボ穴７１０に挿入される略円柱状の挿入部６１０と、この挿入部６１０に一体に形成され、挿入部６１０をダボ穴７１０に挿入するとダボ穴７１０から突出する略円柱状の支持部６２０とから構成されている。なお、支持部６２０は、挿入部６１０より径大に形成されている。また、図５では、挿入部６１０は単なる円柱状に示されているが、この部分に雄ねじが形成されたものや、くり抜き部が形成されているものもある。
【００１２】
一方、棚板５００の裏面５１０には、前記ダボ穴７１０の配置に対応した略半円柱状の２つずつ合計４つの凹部５１１Ａ、５１１Ｂが形成されている。このうち手前側の凹部５１１Ａは、本実施例に係る棚受けダボ用アタッチメント１００の凸部１２０が嵌まり込む部分であり、奥側の凹部５１１Ｂは棚受けダボ６００の支持部６２０が嵌まり込む部分である。
【００１３】
本実施例に係る棚受けダボ用アタッチメント１００は、棚板５００を支持する棚受けダボ６００に取り付けられるものであって、正面視左右対称に形成されており、棚板５００の裏面５１０に接する棚受け部１２０と、棚受けダボ６００の支持部６２０が嵌まり込むダボ嵌合部１１０とを有している。かかる棚受けダボ用アタッチメント１００は、ＡＢＳ等の合成樹脂から成形されている。
【００１４】
前記棚受け部１２０は、略半円柱状の凸部１２１と、この凸部１２１の左右両側にあり、この凸部１２１が棚板５００の凹部５１１Ａに嵌まり込んだ場合、棚板５００の裏面５１０に当接する平坦部１２２とを有している。
【００１５】
また、前記平坦部１２２の下方には、略三角形状の三角部１３０が形成されている。この三角部１３０は、何らかの原因、例えば過大な荷重により、後述する平坦部１２２が下側に撓んだ場合、脚部１１１に当接して平坦部１２２がそれ以上撓まないようにする役目を有している。
【００１６】
前記ダボ嵌合部１１０は、凸部１２１の真下に設けられており、一対の湾曲した脚部１１１が向かい合って全体として下向きの略Ｃ字形状に形成されている。かかるダボ嵌合部１１０は、基端部１１２から外向きに自身の弾性によって変位可能となっている。そして、このダボ嵌合部１１０は、なんら外力が加えられていない状態では、一対の脚部１１１のなす径が棚受けダボ６００の支持部６２０の径より若干小さくなるように設定されている。
【００１７】
かかるダボ嵌合部１１０を構成する一対の脚部１１１は、前記三角部１３０との間に溝部１４０が形成されている。一対の脚部１１１は、三角部１３０に接するのでは拡がるようになっている。従って、より径大の支持部６２０を有する棚受けダボ６００にこの棚受けダボ用アタッチメント１００を無理に取り付けようとしても、三角部１３０に脚部１１１が当接して、それ以上の拡がりを抑止するので、脚部１１１の破損が防止される。
【００１８】
また、前記脚部１１１は、その先端１１１Ａが外側に向かって拡径している。これは、ダボ嵌合部１１０に棚受けダボ６００の支持部６２０を嵌め込む際に、棚受けダボ６００の支持部６２０がダボ嵌合部１１０に嵌まり込みやすいようにする部分である。
【００１９】
さらに、この棚受けダボ用アタッチメント１００の厚さ寸法は、前記棚受けダボ６００の支持部６２０が本棚等の側板７００から突出する寸法と略等しく設定されている。
【００２０】
次に、上述したような棚受けダボ用アタッチメント１００の作用等について説明する。
本棚等の側板７００のダボ穴７１０に取り付けられた棚受けダボ６００のうち、手前側の棚受けダボ６００の支持部６２０のみに棚受けダボ用アタッチメント１００を取り付ける。すなわち、棚受けダボ用アタッチメント１００のダボ嵌合部１１０に手前側の棚受けダボ６００の支持部６２０を圧入するのである。この圧入に際して、ダボ嵌合部１１０を構成する一対の脚部１１１は一旦拡がるが、自身の弾性により前記支持部６２０を抱え込むようになる。
【００２１】
奥側のダボ穴７１０には、従来と同様に棚受けダボ６００を取り付けるだけである。
【００２２】
このように、手前側の棚受けダボ６００には棚受けダボ用アタッチメント１００が取り付けられ、奥側の棚受けダボ６００には棚受けダボ用アタッチメント１００が取り付けられていないので、ここで支持される棚板５００は手前側が棚受けダボ用アタッチメント１００が介在されている分だけ奥側より高くなり、奥側に向かって下り傾斜になる。例えば、棚板５００の手前側の凹部５１１Ａと奥側の凹部５１１Ｂとの間の寸法が２３０ミリで、棚受けダボ６００の中心から前記平坦部１２２までの寸法が６ミリの場合には、棚板５００の傾斜角度θ（図２に一点鎖線で示す水平面ＨＬと、棚板５００とがなす角度）は約１．５°となる。
【００２３】
なお、棚板５００は取り付けられることにより傾斜するので、棚受けダボ用アタッチメント１００は棚板５００の傾斜角度に応じて、棚受けダボ６００の中心を回転中心として若干回転し、平坦部１２２が棚板５００の裏面５１０に密着するようになる。
【００２４】
また、平坦部１２２に摩擦増加手段としてのゴムやスポンジ等を取り付けるようにしてもよい。平坦部１２２にゴム等の摩擦増加手段を取り付けると、棚板５００と棚受けダボ用アタッチメント１００との間の摩擦が大きくなるため、より強い地震にも耐えることが可能となる。
【００２５】
また、図３に示す第２の実施例に係る棚受けダボ用アタッチメント３００のように、第１の実施例における平坦部１２２に相当する部分を鋸歯状の凹凸３２２（摩擦増加手段に相当する）としてもよい。この第２の実施例に係る棚受けダボ用アタッチメント３００の場合には、棚板５００の上に載置された本等の重量によって、棚板５００の裏面５１０が凹凸３２２に食い込むことで、棚板５００と棚受けダボ用アタッチメント３００との間の摩擦を大きくするのである。
【００２６】
【発明の効果】
請求項１に係る棚受けダボ用アタッチメントは、棚板の裏面に形成された横向きの略半円柱状の凹部に嵌まり込んで棚板を水平に受けるのに使用される棚受けダボに装着可能であり且つ棚板を斜めに支持するために棚受けダボに取り付けられる棚受けダボ用アタッチメントであって、棚受けダボに嵌合する下向きの略Ｃ字状のダボ嵌合部と、棚板を支持する部材であって、前記ダボ嵌合部の上側に一体的に設けられた棚受け部とを有しており、前記棚受け部は、ダボ嵌合部の上側に設けられており且つ前記凹部に嵌まり込む略半円柱状の凸部と、この凸部の両側に設けられており且つ棚板の裏面に当接する平坦部とを有している。このため、手前側の棚受けダボに取り付けると、棚受けダボ用アタッチメントの分だけ棚板の手前側が高くなる。このため、棚板は奥側に向かって下り傾斜となり、地震が発生しても棚板に載せた本等の物品の落下のおそれが少なくなり、本棚等の家具の地震時の危険性を少なくすることができる。しかも、前記棚受け部は、ダボ嵌合部の上側に設けられており且つ棚板の凹部に嵌合し得るよう径が棚受けダボの径とほぼ同じにされた横向きの略半円柱状の凸部と、この凸部の両側に設けられており且つ棚板の裏面に当接する平坦部とを有している。従って、平坦部により棚受けダボのみで棚板を支持するよりも広い面積で棚板を受けることができるので、地震に伴う棚板のずれや落下のおそれを少なくすることができる。また、凸部が棚の棚板の凹部に嵌合するようになっているので、棚の棚板をそのまま流用することができるとともに、地震が発生しても棚板のずれや落下のおそれを少なくすることができる。
【００２７】
また、請求項２に係る棚受けダボ用アタッチメントは、請求項１記載の棚受けダボ用アタッチメントにおいて、前記平坦部には、棚板との間の摩擦を増加させる摩擦増加手段が設けられている。このため、地震による棚板のずれや落下のおそれを少なくすることができる。
【００２８】
また、請求項３に係る棚受けダボ用アタッチメントは、請求項１記載の棚受けダボ用アタッチメントにおいて、前記棚受け部の平坦部の下部には、略三角柱状の三角部が形成されており、この三角部は前記ダボ嵌合部と隣り合っている。このため、平坦部に所定以上の負荷が掛かり、当該平坦部が撓んだとしても、前記三角部がダボ嵌合部に当接して前記平坦部の所定以上の撓みを防止することができる。よって、棚板が不用意に落ちることがない。
【図面の簡単な説明】
【図１】本発明の第１の実施例に係る棚受けダボ用アタッチメントの概略的正面図である。
【図２】本発明の第１の実施例に係る棚受けダボ用アタッチメントを用いて取り付けられた棚板を示す概略的断面図である。
【図３】本発明の第２の実施例に係る棚受けダボ用アタッチメントの概略的正面図である。
【図４】棚受けダボの概略的正面図である。
【符号の説明】
１００    棚受けダボ用アタッチメント
１１０    ダボ嵌合部
１２０    棚受け部
１２１    凸部
５００    棚板
５１１Ａ、５１１Ｂ    凹部
６００    棚受けダボ
【図１】
0003577137.tif 000002
【図２】
0003577137.tif 000003
【図３】
0003577137.tif 000004
【図４】
0003577137.tif 000005